(57)【要約】【課題】自発光型または受光型の表示装置における、よりきめ細かな省電力化を実現する表示装置の駆動方法を提供すること。【解決手段】表示装置１００の駆動方法は、複数の画素が設けられた表示領域１１０ａを有するシート状の表示部１３０を備え、表示部１３０が自発光型であり、人体等により表示部１３０への接触があるか否か、または人体等の接触に伴って画素における表示が遮蔽状態であるか否かを検出するセンサーを備え、表示部１３０の駆動中にセンサーからの出力に基づいて、接触がある、または表示が遮蔽されたと判断されたときに、少なくとも接触部位１１１ａ，１１１ｂの画素を消灯または減光する。【選択図】図４
2011007833.tif 000002
【特許請求の範囲】
【請求項１】
複数の画素が設けられた表示領域を有するシート状の表示部を備えた表示装置の駆動方法であって、
前記表示部が自発光型であり、
人体等により前記表示部への接触があるか否か、または人体等の接触に伴って前記画素における表示が遮蔽状態であるか否かを検出するセンサーを備え、
前記表示部の駆動中に前記センサーからの出力に基づいて、前記接触がある、または前記表示が遮蔽されたと判断されたときに、少なくとも接触部位の画素を消灯または減光することを特徴とする表示装置の駆動方法。
【請求項２】
前記接触部位の画素に隣接する少なくとも１つの前記画素を消灯または減光することを特徴とする請求項１に記載の表示装置の駆動方法。
【請求項３】
前記表示領域は、複数の領域に分けて駆動制御されており、前記接触部位の画素を含む前記領域を消灯または減光することを特徴とする請求項１に記載の表示装置の駆動方法。
【請求項４】
前記接触が所定の時間継続したと判断されたときに、前記接触部位の画素を含む前記表示領域のすべてを消灯または減光することを特徴とする請求項１乃至３のいずれか一項に記載の表示装置の駆動方法。
【請求項５】
一方の端部が綴じられた複数の前記表示部を備え、少なくとも２つの前記表示部のうち一方の表示部に他方の表示部が重なったとき、前記他方の表示部が重なった前記一方の表示部の前記表示領域の少なくとも一部を消灯または減光することを特徴とする請求項１に記載の表示装置の駆動方法。
【請求項６】
前記他方の表示部が重なり合った部分の前記一方の表示部の前記画素を消灯または減光することを特徴とする請求項５に記載の表示装置の駆動方法。
【請求項７】
前記一方の表示部に対する前記他方の表示部の重なり合いが所定の時間継続したと判断されたときに、前記一方の表示部の前記表示領域のすべてを消灯または減光することを特徴とする請求項５または６に記載の表示装置の駆動方法。
【請求項８】
複数の画素が設けられた表示領域を有するシート状の表示部を備えた表示装置の駆動方法であって、
前記表示部が受光型であり、前記表示部の直下に配置され、少なくとも前記表示領域を照明する複数の光源を有する照明装置と、
人体等により前記表示部への接触があるか否か、または人体等の接触に伴って前記画素における表示が遮蔽状態であるか否かを検出するセンサーとを備え、
前記表示部の駆動中に前記センサーからの出力に基づいて、前記接触がある、または前記表示が遮蔽されたと判断されたときに、少なくとも接触部位の前記光源を消灯または減光することを特徴とする表示装置の駆動方法。
【請求項９】
前記接触部位の前記光源に隣接する少なくとも１つの前記光源を消灯または減光することを特徴とする請求項８に記載の表示装置の駆動方法。
【請求項１０】
前記照明装置は、前記表示領域を複数の領域に分けて照明するように制御されており、前記領域ごとに少なくとも１つの前記光源を有し、
前記接触部位が含まれる前記領域に設けられた前記光源を消灯または減光することを特徴とする請求項８に記載の表示装置の駆動方法。
【請求項１１】
一方の端部が綴じられた複数の前記表示部を備え、少なくとも２つの前記表示部のうち一方の表示部に他方の表示部が重なったとき、前記他方の表示部が重なった前記一方の表示部の前記照明装置の少なくとも１つの前記光源を消灯または減光することを特徴とする請求項８に記載の表示装置の駆動方法。
【請求項１２】
前記一方の表示部の前記照明装置における前記他方の表示部が重なり合った部分の前記光源を消灯または減光することを特徴とする請求項１１に記載の表示装置の駆動方法。
【請求項１３】
前記一方の表示部に対する前記他方の表示部の重なり合いが所定の時間継続したと判断されたときに、前記一方の表示部の前記照明装置におけるすべての前記光源を消灯または減光することを特徴とする請求項８乃至１２のいずれか一項に記載の表示装置の駆動方法。
【請求項１４】
前記センサーは、光検知、圧力検知、電気容量検知のうち少なくとも１つの方法を用いていることを特徴とする請求項１乃至１３のいずれか一項に記載の表示装置の駆動方法。
【発明の詳細な説明】
【技術分野】
【０００１】
本発明は、表示装置の駆動方法に関する。
【背景技術】
【０００２】
上記表示装置の駆動方法としては、液晶表示パネルの前面側部に配置された人体検知用センサーで液晶表示パネルに対して人体の接近や離遠を検知して、バックライトの点灯や消灯または減光を制御するバックライト点灯制御回路を備えた液晶画像表示装置が知られている（特許文献１）。
【０００３】
上記液晶画像表示装置は、上記バックライト点灯制御回路を備えることにより、省電力効果に加えて、バックライトの長寿命化を図っている。
【０００４】
また、他の表示装置の駆動方法としては、表示板と、表示板に対する接触に基づいて感知出力信号を生成する複数の感知部と、感知出力信号に基づいて接触の有無を判断して動作する第１接触判断部および第２接触判断部とを有する表示装置の駆動方法が知られている（特許文献２）。
【０００５】
特許文献２の表示装置の駆動方法は、第１接触判断部における節電モードの動作と、第２接触判断部における正常モードの動作とを適宜使い分けることによって電力消費を低減しようとするものである。
【先行技術文献】
【特許文献】
【０００６】
【特許文献１】特開平８−２１１３６０号公報
【特許文献２】特開２００７−８７３９３号公報
【発明の概要】
【発明が解決しようとする課題】
【０００７】
特許文献１の上記液晶画像表示装置では、液晶表示パネルの全面に亘るバックライトの点灯、消灯または減光を制御している。また、特許文献２の上記表示装置の駆動方法では、表示板全体を対象とする２つの駆動モード（節電モードと正常モード）を使い分けている。すなわち、これらの表示装置における制御または駆動方法では、比較的に単純な駆動制御が行われており、電池等を電源とする携帯型情報機器においては、よりきめ細かな駆動制御により省電力化を図ることが求められている。
【課題を解決するための手段】
【０００８】
本発明は、上述の課題の少なくとも一部を解決するためになされたものであり、以下の形態または適用例として実現することが可能である。
【０００９】
［適用例１］本適用例の表示装置の駆動方法は、複数の画素が設けられた表示領域を有するシート状の表示部を備えた表示装置の駆動方法であって、前記表示部が自発光型であり、人体等により前記表示部への接触があるか否か、または人体等の接触に伴って前記画素における表示が遮蔽状態であるか否かを検出するセンサーを備え、前記表示部の駆動中に前記センサーからの出力に基づいて、前記接触がある、または前記表示が遮蔽されたと判断されたときに、少なくとも接触部位の画素を消灯または減光することを特徴とする。
【００１０】
この方法によれば、少なくとも接触部位の画素を単位として消灯または減光することによって、きめ細かな節電状態として省電力化することができる。
【００１１】
［適用例２］上記適用例の表示装置の駆動方法において、前記接触部位の画素に隣接する少なくとも１つの前記画素を消灯または減光するとしてもよい。
この方法によれば、表示の視認において支障をきたさない程度に節電状態として、より省電力化することができる。
【００１２】
［適用例３］上記適用例の表示装置の駆動方法において、前記表示領域は、複数の領域に分けて駆動制御されており、前記接触部位の画素を含む前記領域を消灯または減光するとしてもよい。
この方法によれば、節電状態の範囲を積極的に広げて、より省電力化することができる。
【００１３】
［適用例４］上記適用例の表示装置の駆動方法において、前記接触が所定の時間継続したと判断されたときに、前記接触部位の画素を含む前記表示領域のすべてを消灯または減光することが好ましい。
人体等による表示部への接触が所定の時間継続している状態を表示が視認されていないと判断して表示領域のすべてを消灯または減光するので、効率よく省電力化することができる。
【００１４】
［適用例５］上記適用例の表示装置の駆動方法において、一方の端部が綴じられた複数の前記表示部を備え、少なくとも２つの前記表示部のうち一方の表示部に他方の表示部が重なったとき、前記他方の表示部が重なった前記一方の表示部の前記表示領域の少なくとも一部を消灯または減光することを特徴とする。
この方法によれば、複数の表示部を備えた場合に起こり得る表示部間の重なり合いを想定して節電状態とするので、効率よく省電力化することができる。
【００１５】
［適用例６］上記適用例の表示装置の駆動方法において、前記他方の表示部が重なり合った部分の前記一方の表示部の前記画素を消灯または減光するとしてもよい。
この方法によれば、表示寄与しない部分を確実に節電状態として省電力化することができる。
【００１６】
［適用例７］上記適用例の表示装置の駆動方法において、前記一方の表示部に対する前記他方の表示部の重なり合いが所定の時間継続したと判断されたときに、前記一方の表示部の前記表示領域のすべてを消灯または減光するとしてもよい。
この方法によれば、表示部の重なり合いによる時間経過を考慮して、無駄な表示用の電力を節電できる。
【００１７】
［適用例８］本適用例の他の表示装置の駆動方法は、複数の画素が設けられた表示領域を有するシート状の表示部を備えた表示装置の駆動方法であって、前記表示部が受光型であり、前記表示部の直下に配置され、少なくとも前記表示領域を照明する複数の光源を有する照明装置と、人体等により前記表示部への接触があるか否か、または人体等の接触に伴って前記画素における表示が遮蔽状態であるか否かを検出するセンサーとを備え、前記表示部の駆動中に前記センサーからの出力に基づいて、前記接触がある、または前記表示が遮蔽されたと判断されたときに、少なくとも接触部位の前記光源を消灯または減光することを特徴とする。
【００１８】
この方法によれば、少なくとも接触部位の光源を単位として照明装置を節電状態として、省電力化することができる。
【００１９】
［適用例９］上記適用例の表示装置の駆動方法において、前記接触部位の前記光源に隣接する少なくとも１つの前記光源を消灯または減光するとしてもよい。
この方法によれば、表示の視認において支障をきたさない程度に照明装置を節電状態として、より省電力化することができる。
【００２０】
［適用例１０］上記適用例の表示装置の駆動方法において、前記照明装置は、前記表示領域を複数の領域に分けて照明するように制御されており、前記領域ごとに少なくとも１つの前記光源を有し、前記接触部位が含まれる前記領域に設けられた前記光源を消灯または減光するとしてもよい。
この方法によれば、照明装置における節電状態の範囲を積極的に広げて、より省電力化することができる。
【００２１】
［適用例１１］上記適用例の表示装置の駆動方法において、一方の端部が綴じられた複数の前記表示部を備え、少なくとも２つの前記表示部のうち一方の表示部に他方の表示部が重なったとき、前記他方の表示部が重なった前記一方の表示部の前記照明装置の少なくとも１つの前記光源を消灯または減光することを特徴とする。
この方法によれば、複数の表示部を備えた場合に起こり得る表示部間の重なり合いを想定して照明装置を節電状態とするので、効率よく省電力化することができる。
【００２２】
［適用例１２］上記適用例の表示装置の駆動方法において、前記一方の表示部の前記照明装置における前記他方の表示部が重なり合った部分の前記光源を消灯または減光するとしてもよい。
この方法によれば、表示寄与しない部分に対応する照明装置の光源を確実に節電状態として省電力化することができる。
【００２３】
［適用例１３］上記適用例の表示装置の駆動方法において、前記一方の表示部に対する前記他方の表示部の重なり合いが所定の時間継続したと判断されたときに、前記一方の表示部の前記照明装置におけるすべての前記光源を消灯または減光することが好ましい。
この方法によれば、表示部の重なり合いによる時間経過を考慮して、照明装置における無駄な照明用の電力を節電できる。
【００２４】
［適用例１４］上記適用例の表示装置の駆動方法において、前記センサーは、光検知、圧力検知、電気容量検知のうち少なくとも１つの方法を用いていることを特徴とする。
周知の検知技術を応用または組み合わせることにより、表示部が自発光型あるいは受光型のいかんに関わらず、人体等による表示部への接触、または人体等の接触に伴う画素の表示が遮蔽された状態を検出可能である。
【図面の簡単な説明】
【００２５】
【図１】実施形態１の表示装置の構成を示す概略平面図。
【図２】図１のＡ−Ａ'線で切った実施形態１の表示装置の構造を示す概略断面図。
【図３】実施形態１の表示装置の電気的な構成を示すブロック図。
【図４】実施例１の表示装置の駆動方法を示す概略図。
【図５】実施例２の表示装置の駆動方法を示す概略図。
【図６】実施例３の表示装置の駆動方法を示す概略図。
【図７】実施形態２の表示装置の構成を示す概略平面図。
【図８】図７のＢ−Ｂ'線で切った実施形態２の表示装置の構造を示す概略断面図。
【図９】実施形態２の表示装置の電気的な構成を示すブロック図。
【図１０】実施例４の表示装置の駆動方法を示す概略図。
【図１１】実施例５の表示装置の駆動方法を示す概略図。
【図１２】（ａ）および（ｂ）は実施形態３の表示装置の構成を示す斜視図。
【図１３】実施形態３の表示装置の駆動方法を示す斜視図。
【図１４】変形例の表示装置の構造を示す概略断面図。
【発明を実施するための形態】
【００２６】
以下、本発明を具体化した実施形態について図面に従って説明する。なお、使用する図面は、説明する部分が認識可能な状態となるように、適宜拡大または縮小して表示している。
【００２７】
（実施形態１）
まず、本実施形態の表示装置の駆動方法を適用する表示装置の構成について、図１〜図３を参照して説明する。図１は実施形態１の表示装置の構成を示す概略平面図、図２は図１のＡ−Ａ'線で切った実施形態１の表示装置の構造を示す概略断面図、図３は実施形態１の表示装置の電気的な構成を示すブロック図である。
【００２８】
図１に示すように、本実施形態の表示装置１００は、外形が四角形の表示パネル１１０を内包した表示部１３０を備えている。表示パネル１１０は、Ｒ（赤）、Ｇ（緑）、Ｂ（青）、３色の色表示が可能な複数の画素１５が設けられた表示領域１１０ａを有している。複数の画素１５は、表示領域１１０ａにおいて３色のうち同色の画素１５が短辺に沿った方向に配列した所謂ストライプ状の配列となっている。なお、画素１５の配列はこれに限定されるものではない。
【００２９】
表示パネル１１０の長辺に沿って設けられた端子部１０ａには、表示パネル１１０を駆動制御する表示制御部１３１（図３参照）との電気的な接続を図るべく、複数（３つ）の中継基板１２０Ａ，１２０Ｂ，１２０Ｃが実装されている。中継基板１２０Ａ，１２０Ｂ，１２０Ｃは、例えばフレキシブル回路基板（ＦＰＣ）であって、その表面に表示パネル１１０を駆動する駆動回路の一部を構成する例えばドライバーＩＣなどの電子部品を実装したものも採用することができる。
【００３０】
図２に示すように、表示装置１００の表示部１３０は、中継基板１２０Ａが実装された表示パネル１１０を樹脂フィルム４０Ａと樹脂フィルム４０Ｂとの間に挟んでラミネートされた構造となっている。
【００３１】
表示パネル１１０は、画素１５ごとに対応して設けられた発光素子としての有機エレクトロルミネセンス素子１１（以降、有機ＥＬ素子１１と呼ぶ）を有する素子基板１０と、同じく画素１５ごとに対応して設けられた着色層を具備するカラーフィルター２１を有する封止基板２０とを、可視光透過性を有する封止樹脂３５を介してシール材３０により接合したものである。有機ＥＬ素子１１は白色光を発するものであり、白色光がカラーフィルター２１を透過して封止基板２０側から射出することにより、カラー表示を可能とする所謂トップエミッション構造となっている。
【００３２】
素子基板１０には、画素１５ごとの有機ＥＬ素子１１を駆動するため駆動回路（図示省略）が設けられており、有機ＥＬ素子１１は駆動回路上に形成されている。駆動回路は薄膜トランジスターなどのスイッチング素子やこれに繋がる配線等を含むものであって、公知の構成を採用することができる。
【００３３】
また、駆動回路は、画素１５ごとに設けられたセンサー１３を含んでいる。センサー１３は、前述した薄膜トランジスターを構成する半導体膜や絶縁膜、配線を構成する導電膜等により構成することができ、例えば、光感応型の半導体膜を有する光検知素子や圧力感応型の抵抗素子、静電容量の変化を検知する電気容量素子のうち少なくとも１つからなるものである。
【００３４】
このように発光素子を有する自発光型の表示パネル１１０において、素子基板１０は透明なガラスや樹脂などの基板や、不透明なシリコンやセラミックなどの基板を用いることができる。一方、有機ＥＬ素子１１からの発光が取り出される側の封止基板２０は透明なガラスや樹脂などの基板を用いる。
【００３５】
本実施形態では、素子基板１０および封止基板２０ともに透明なガラス基板が用いられており、素子基板１０と封止基板２０とを接合した後に、その表面を機械的または化学的な研磨を施すことにより、それぞれの基板の厚みを薄くする加工が施されている。例えば、それぞれの基板の元の厚みは、およそ０．５ｍｍである。そして、加工後の総厚がおよそ３００μｍ以下となるように研磨されている。したがって、表示パネル１１０自体がある程度の可撓性を有する構成となっている。
それゆえに、表示パネル１１０自体では、外部からの衝撃に対して弱い、また衝撃で破損したときの飛散を防ぐ必要がある。また発光素子として有機ＥＬ素子１１を用いているので密封構造とすることで外部からの水分等の浸入を防ぎより長い発光寿命を確保したいなどの理由から、同じく可撓性を有する樹脂フィルム４０Ａ，４０Ｂでラミネートしている。
【００３６】
ラミネートに用いられる樹脂フィルム４０Ａは、ガス透過性が低い透明な基材フィルム４１Ａの一方の表面に接着剤を均一に塗布して形成された接着層４２Ａを有する。同様に樹脂フィルム４０Ｂは、ガス透過性が低い透明な基材フィルム４１Ｂの一方の表面に透明な接着剤を均一に塗布して形成された接着層４２Ｂを有する。
基材フィルム４１Ａ，４１Ｂとしては、例えばＰＥＴ（ポリエチレンテレフタレート）やＰＥＮ（ポリエチレンナフタレート）などのポリエステル、ＰＥＳ（ポリエーテルスルホン）、ＰＣ（ポリカーボネート）、ＰＥ（ポリエチレン)などの樹脂からなるフィルムが挙げられる。その厚みは、およそ５０μｍ程度である。
接着剤は、例えば熱硬化型のエポキシ樹脂を用いることができる。また、粘着性を有する粘着剤としてもよい。粘着剤を用いればリペア性を実現できる。
【００３７】
接着層４２Ａ，４２Ｂが相対するように表示パネル１１０を挟んで２つの樹脂フィルム４０Ａ，４０Ｂによりラミネートする。また、有機ＥＬ素子１１の防湿性、言い換えれば封止性を確保するために、ラミネート時に表示パネル１１０の周辺に発生するおそれがある空間４３，４４を封止樹脂により埋めた構造となっている。すなわち、封止樹脂と一緒に表示パネル１１０を挟んでラミネートしており、はみ出した封止樹脂の一部４５が樹脂フィルム４０Ａ，４０Ｂの端面に盛り上がった状態となっている。
【００３８】
素子基板１０の端子部１０ａには、異方性導電膜（ＡＣＦ）７Ａを用いて中継基板１２０Ａが実装されている。中継基板１２０Ａの接続部を除く表面は絶縁性を有する例えばポリイミドやソルダーレジストなどの保護膜で覆われており、樹脂フィルム４０Ａ，４０Ｂの接着層４２Ａ，４２Ｂと上記保護膜との接着性を確保するために、双方の界面に接着性を示す中間接着層８Ａ，９Ａが設けられている。
【００３９】
このような構成の表示部１３０は所謂シート状（板状）であって、外部応力にある程度追随して表示面を湾曲させることができる。
【００４０】
なお、表示パネル１１０がトップエミッション構造の有機ＥＬ素子１１を有しているため、素子基板１０側から光を取り出す必要がない。したがって、素子基板１０側を覆う樹脂フィルム４０Ｂは透明性を有する必要はなく、ラミネートが可能な金属薄膜などの熱伝導体を備えた不透明な樹脂フィルムでもよい。熱伝導体により有機ＥＬ素子１１の発光に伴う発熱を放熱することが可能となる。
【００４１】
次に表示装置１００の電気的な構成について説明する。図３に示すように、表示装置１００は、表示部１３０と、表示信号の入力を受けて表示部１３０を駆動制御する表示制御部１３１と、ＡＣ（交流）またはＤＣ（直流）の外部電源からの電力供給を受けて表示制御部１３１に駆動電力を供給する電源回路１３２とを有する。
【００４２】
表示制御部１３１は、表示信号の入力に対応してＲ，Ｇ，Ｂの各有機ＥＬ素子１１を点灯させる。また、有機ＥＬ素子１１は、これを流れる電流量により発光する輝度（強度）を変えることができる。したがって、表示制御部１３１は、各有機ＥＬ素子１１の点灯や消灯だけでなく、点灯時に比べて電流量を減らすことにより低い輝度で点灯させることもできる。以降、このような低い輝度での点灯状態を減光と言う。
【００４３】
センサー１３は、前述したように光検知素子、抵抗素子、電気容量素子のうち少なくとも１つからなり、人体等による表示部１３０への接触、または人体等の接触に伴う画素１５の表示が遮蔽された状態を検出可能となっている。
このような構成を備えた表示装置１００は、表示制御部１３１がセンサー１３からの出力信号を参照して画素１５を構成する有機ＥＬ素子１１の発光を制御することにより、省電力化を実現している。詳しい表示装置１００の駆動方法について、引き続き説明する。
【００４４】
＜表示装置の駆動方法＞
本実施形態の表示装置１００の駆動方法について、図４〜図６を参照して説明する。図４は実施例１の表示装置の駆動方法を示す概略図、図５は実施例２の表示装置の駆動方法を示す概略図、図６は実施例３の表示装置の駆動方法を示す概略図である。
【００４５】
（実施例１）
図４に示すように、実施例１の表示装置１００の駆動方法は、シート状の表示部１３０を手にとったときに、その接触をセンサー１３により検知して、表示制御部１３１が接触部位の画素１５の有機ＥＬ素子１１を消灯または減光する。
【００４６】
この場合、表示部１３０の表示領域１１０ａ（すなわち表示面）に対して、親指が接触、あるいは表示面を遮蔽している。親指が接触した部位を接触部位１１１ａとする。これに対して、表示部１３０の背面側には、残る人差し指から小指までの４本の指が接触している。４本の指が接触した部位を接触部位１１１ｂとする。
【００４７】
センサー１３は、これらの接触あるいは表示面の遮蔽された状態を検知して出力信号を表示制御部１３１に送出する。表示制御部１３１はこの出力信号を参照して、接触部位１１１ａ，１１１ｂに対応する画素１５の有機ＥＬ素子１１を消灯または減光する。
【００４８】
このような有機ＥＬ素子１１の消灯または減光は、表示装置１００を駆動するために必要な電力を削減できる。また、表示の視認性を確保する観点では、親指によって遮蔽された接触部位１１１ａの画素１５の有機ＥＬ素子１１だけを消灯または減光するとしてもよい。
【００４９】
（実施例２）
図５に示すように、実施例２の表示装置１００の駆動方法は、実施例１に対して接触部位１１１ａ，１１１ｂの画素１５の有機ＥＬ素子１１に隣接する少なくとも１つの有機ＥＬ素子１１を含んで消灯または減光する方法である。これにより節電する範囲をさらに拡大させる。具体的には、表示領域１１０ａにおける有機ＥＬ素子１１の平面的な配置座標データに対してセンサー１３の出力信号を参照して、手（指）が接触した部分の平面的な最大範囲を特定する。例えば、親指の接触部位１１１ａ（図４）を含む四角形の領域１１２ａの画素１５を消灯または減光する。あるいは、４本の指の接触部位１１１ｂ（図４）を含む四角形の領域１１２ｂを消灯または減光する。
実施例１において述べたように、表示の視認性を確保する観点では、領域１１２ａだけを消灯または減光するとしてもよい。
【００５０】
上記実施例１および実施例２の表示装置１００の駆動方法によれば、表示部１３０に対して人体（手）が接触、または人体（手）の接触に伴って表示が遮蔽された状態をセンサー１３が検知して、表示制御部１３１が接触部位１１１ａと接触部位１１１ｂのうち少なくとも一方、あるいは領域１１２ａと領域１１２ｂのうちいずれか一方に含まれる複数の画素１５の有機ＥＬ素子１１を消灯または減光することにより、省電力化が図られる。
【００５１】
人体による接触を検知するという観点からセンサー１３としては、光（可視光領域の波長を有する光）検知、圧力検知、電気容量検知の他にも温度（赤外線）検知、磁気（磁場）検知などの方法（素子）を採用することもできる。
【００５２】
（実施例３）
実施例３の表示装置１００の駆動方法は、実施例１や実施例２の人体の接触に対して、人体以外の接触を鑑みた節電の方法である。例えば、図６に示すように、人体以外の接触物として紙やノートなど遮蔽物が表示部１３０に重ねられることが想定される。そのような場合には、表示制御部１３１はセンサー１３からの出力信号を参照して、遮蔽物によって表示が遮蔽された領域１１３ａの画素１５の有機ＥＬ素子１１を消灯または減光する。
【００５３】
実施例３によれば、表示の視認性を優先して、表示が視認できない領域１１３ａの表示を行わない、あるいは視認できないようにして、省電力化することができる。
【００５４】
実施例１〜実施例３における発光素子としての有機ＥＬ素子１１の消灯または減光は、接触または表示が遮蔽された状態の初期段階には減光し、所定の時間（数十秒程度）経過したときには、消灯することが好ましい。
特に、有機ＥＬ素子１１は発光に伴って発熱することがあり、人体（手）が接触する部位または当該部位を含む周辺領域の有機ＥＬ素子１１を消灯して発熱を抑えることができる。長時間に亘って人体が表示部１３０に接触している場合の低温火傷を防ぐことができる。
【００５５】
なお、有機ＥＬ素子１１の消灯または減光を頻繁に繰り返すことによって、かえって消費電力を増やすおそれがあるときには、接触または表示が遮蔽された状態が所定の時間（例えば５分程度）継続したときに、すべての有機ＥＬ素子１１を消灯または減光してもよい。
上記所定の時間は、表示装置１００の使用方法に応じて任意に設定可能とすることもできる。
【００５６】
（実施形態２）
次に、他の実施形態の表示装置とその駆動方法について、図７〜図１１を参照して説明する。図７は実施形態２の表示装置の構成を示す概略平面図、図８は図７のＢ−Ｂ'線で切った実施形態２の表示装置の構造を示す概略断面図、図９は実施形態２の表示装置の電気的な構成を示すブロック図、図１０は実施例４の表示装置の駆動方法を示す概略図、図１１は実施例５の表示装置の駆動方法を示す概略図である。
【００５７】
図７に示すように、本実施形態の表示装置２００は、外形が四角形の表示パネル１５０を内包した表示部１７０を備えている。表示パネル１５０は、Ｒ（赤）、Ｇ（緑）、Ｂ（青）、３色の色表示が可能な複数の画素５５が設けられた表示領域１５０ａを有している。複数の画素５５は、表示領域１５０ａにおいてストライプ状の配列となっている。
【００５８】
表示パネル１５０の長辺に沿って設けられた端子部５０ａには、表示パネル１５０を駆動制御する表示制御部１７１（図９参照）との電気的な接続を図るべく、複数（３つ）の中継基板１６０Ａ，１６０Ｂ，１６０Ｃが実装されている。中継基板１６０Ａ，１６０Ｂ，１６０Ｃは、例えばフレキシブル回路基板（ＦＰＣ）であって、その表面に表示パネル１５０を駆動する駆動回路の一部を構成する例えばドライバーＩＣなどの電子部品を実装したものも採用することができる。
本実施形態の表示装置２００は、平面的には実施形態１の表示装置１００と同様な構成を有しているも、表示パネル１５０が受光型であって、表示パネル１５０の背面側（直下）には、これを照明する照明装置（バックライト；Ｂ／Ｌ）が備えられている。また、照明装置を駆動制御するＢ／Ｌ制御部１７３（図９参照）との電気的な接続を図るべく、中継基板１６０Ａ、１６０Ｂ，１６０Ｃには他の中継基板（図示省略）が実装されている。詳しくは、図８を参照して説明する。
【００５９】
図８に示すように、表示装置２００の表示部１７０は、中継基板１６０Ａが実装された表示パネル１５０とこれを照明する照明装置９０とが重ね合わされた積層体を、樹脂フィルム４０Ａと樹脂フィルム４０Ｂとの間に挟んでラミネートされた構造となっている。
【００６０】
表示パネル１５０は、液晶パネルであって、例えば、一対の基板としての素子基板５０および対向基板６０と、シール材７０を介して接合された素子基板５０と対向基板６０との隙間に挟持された液晶層８０とを備えている。
素子基板５０の液晶層８０側には、画素５５ごとに設けられた画素電極５１とこれを駆動するための駆動回路と、複数の画素電極５１を覆う配向膜５６とが設けられている。
【００６１】
また、駆動回路は、画素５５ごとに設けられたセンサー５３を含んでいる。センサー５３は、例えば、光感応型の半導体膜を有する光検知素子や圧力感応型の抵抗素子、静電容量の変化を検知する電気容量素子のうち少なくとも１つからなるものであって、駆動回路における薄膜トランジスターを構成する半導体膜や絶縁膜、配線を構成する導電膜等により構成することができる。
【００６２】
対向基板６０の液晶層８０側には、画素５５ごとに設けられた着色層を有するカラーフィルター６１とカラーフィルター６１上に設けられた共通電極６２と、共通電極６２を覆う配向膜６３とが設けられている。
【００６３】
液晶層８０と反対側の対向基板６０の表面には、上偏光板６４が貼り付けられている。同じく、液晶層８０と反対側の素子基板５０の表面には、下偏光板５７が貼り付けられている。
【００６４】
このような表示パネル１５０の光学設計条件としては、非駆動時に黒表示となるノーマリーブラックモードが採用されている。したがって、表示パネル１５０が非駆動時には、照明装置９０の照明光は表示パネル１５０を透過することができない。なお、これに限らず、非駆動時に白表示となるノーマリーホワイトモードの光学設計条件としてもよい。
【００６５】
照明装置９０は、実装基板９２と実装基板９２上にほぼ均等に配置され実装された複数の光源９１とを有する。光源９１は点光源に近い例えばＬＥＤや有機ＥＬ素子などの発光素子である。照明装置９０は、素子基板５０側において表示パネル１５０の直下に配置され、少なくとも表示領域１５０ａに亘ってほぼ均一に照明可能な状態となっている。以降、照明装置９０をＢ／Ｌ（バックライト）９０と呼ぶこともある。
【００６６】
光源９１が実装された実装基板９２の一方の端部には、接続端子（図示省略）が設けられており、中継基板１６１Ａの一方の端部が電気的に接続されている。中継基板１６１Ａの他方の端部は、素子基板５０の端子部５０ａに実装された中継基板１６０Ａの一方の表面に電気的に接続されている。電気的な接続方法は、例えば半田付けによるものである。
【００６７】
表示パネル１５０は、素子基板５０と対向基板６０とを接合して、その隙間に液晶を封入した後に、機械的または化学的な研磨を施して薄型化されている。この場合も実施形態１の表示パネル１１０と同様に、それぞれの基板の元の厚みはおよそ０．５ｍｍ程度であって、表示パネル１５０の厚みがおよそ３００μｍ以下となるように研磨加工されている。研磨加工後に上偏光板６４と下偏光板５７とが貼り付けられている。
【００６８】
照明装置９０における実装基板９２は、リジットな回路基板であってもフレキシブルな回路基板であってもよいが、やはり１００μｍ以下の薄い回路基板が好ましい。
【００６９】
このような表示パネル１５０と照明装置９０の積層体を接着層４２Ａ，４２Ｂとが相対するように樹脂フィルム４０Ａ，４０Ｂでラミネートして得られたシート状の表示部１７０は、やはり外部応力に対してある程度湾曲可能な可撓性を有している。
【００７０】
図９に示すように、表示装置２００は、表示部１７０と、表示信号の入力を受けて表示部１７０を駆動制御する表示制御部１７１と、Ｂ／Ｌ９０を駆動制御するＢ／Ｌ制御部１７３と、ＡＣ（交流）またはＤＣ（直流）の外部電源からの電力供給を受けて表示制御部１７１とＢ／Ｌ制御部１７３とに駆動電力を供給する電源回路１７２と、を有する。
【００７１】
表示制御部１７１は、表示信号の入力に対応してＲ，Ｇ，Ｂの画素５５を点灯させる。詳しくは、共通電極６２と所望の画素電極５１との間に液晶層８０を駆動する電位を与える。
【００７２】
センサー５３は、前述したように光検知素子、抵抗素子、電気容量素子のうち少なくとも１つからなり、人体等による表示部１７０への接触、または人体等の接触に伴う画素５５の表示が遮蔽された状態を検出可能となっている。
このような構成を備えた表示装置２００は、表示制御部１７１がセンサー５３からの出力信号を参照して画素５５を点灯制御する。また、Ｂ／Ｌ制御部１７３は同じくセンサー５３からの出力信号を参照して光源９１の発光を制御する。これにより、省電力化を実現している。詳しい表示装置２００の駆動方法について、実施例４および実施例５に基づいて説明する。
【００７３】
＜他の表示装置の駆動方法＞
（実施例４）
図１０に示すように、本実施形態の実施例４における表示装置２００の駆動方法は、シート状の表示部１７０を手にとったときに、その接触をセンサー５３により検知して、Ｂ／Ｌ制御部１７３が接触部位の光源９１を消灯または減光する。
【００７４】
表示部１７０の表示領域１５０ａ（すなわち表示面）に対して、親指が接触、あるいは表示面を遮蔽している。表示部１７０の背面側には、残る人差し指から小指までの４本の指が接触している。
【００７５】
センサー５３は、これらの接触あるいは表示面の遮蔽された状態を検知して出力信号を送出する。Ｂ／Ｌ制御部１７３はこの出力信号を参照して、例えば親指が接触した接触部位１５１ａに対応する光源９１を消灯または減光する。表示領域１５０ａ内における光源９１の配置は、光源９１間の距離が均等となるように配置されているものの、画素５５ごとに設けられたセンサー５３の配置密度の方が高密度であるため、接触部位１５１ａに対応する光源９１を消灯または減光するとその範囲は、手にとった辺部を一辺とする略半円状となる。
【００７６】
このような照明装置９０の消灯または減光は、表示装置２００を駆動するために必要な電力を削減できる。また、表示の視認性を確保する観点では、親指によって遮蔽された接触部位１５１ａの光源９１だけを消灯または減光するとしてもよいが、光源９１からの放熱を考慮して上記実施形態１の有機ＥＬ素子１１の点灯制御と同様に、表示部１７０の背面側に接触した４本の指の接触部位１５１ｂの光源９１をさらに消灯または減光するとしてもよい。これによれば、より省電力化が図れる。
【００７７】
（実施例５）
図１１に示すように、本実施形態の実施例５における表示装置２００の駆動方法は、照明装置９０による表示領域１５０ａの照明を複数（例えば３つ）の領域に分けて照明可能とする。そして、シート状の表示部１７０を手にとったときに、その接触をセンサー５３により検知して、Ｂ／Ｌ制御部１７３が複数（３つ）の領域のうち手（親指）が接触した部分を含む領域１５２ａの光源９１を消灯または減光する。
【００７８】
実施例５の表示装置２００の駆動方法によれば、積極的に照明装置９０の消灯または減光の範囲を拡大して、より省電力化を図ることができる。なお、照明を制御できる領域の数（３つ）は、これに限定されるものではない。
【００７９】
また、実施例４および実施例５において、Ｂ／Ｌ制御部１７３による照明装置９０の制御に加えて、表示制御部１７１がセンサー５３の出力信号を参照することにより、接触部位１５１ａ、接触部位１５１ｂ、領域１５２ａのいずれかに含まれる画素５５に表示信号を書き込む動作を中断するように制御してもよい。照明装置９０の電力消費に比べればわずかであるものの、書き込み動作による電力消費を削減することができる。
【００８０】
さらには、実施例４および実施例５の照明装置９０の駆動制御において、表示部１７０に人体（手）が接触または表示が遮蔽された状態の初期段階に光源９１を減光し、所定の時間（数十秒程度）経過したときには、消灯することが好ましい。すなわち、節電に入った初期段階においてもある程度表示を視認することができる。
【００８１】
なお、光源９１の消灯または減光を頻繁に繰り返すことによって、かえって照明装置９０の消費電力を増やすおそれがあるときには、接触または表示が遮蔽された状態が所定の時間（例えば５分程度）継続したときに、すべての光源９１を消灯または減光してもよい。
【００８２】
（実施形態３）
次に、実施形態３の表示装置とその駆動方法について、図１２および図１３を参照して説明する。図１２（ａ）および（ｂ）は実施形態３の表示装置を示す斜視図、図１３は実施形態３の表示装置の駆動方法を示す斜視図である。
【００８３】
図１２（ａ）に示すように、本実施形態の表示装置１０００は、上記実施形態１の表示装置１００が本体１１００内に複数収納されたものである。また、図１２（ｂ）に示すように、２つのシート状の表示部１３０をそれぞれ表示領域（表示面）１１０ａが外側に向くように貼り合わせて１つの表示部を構成している。以降、このような表示部を表示部１００Ａ，１００Ｂ，１００Ｃ，１００Ｄと呼ぶ。
【００８４】
各表示部１００Ａ，１００Ｂ，１００Ｃ，１００Ｄは、一方の端、すなわち中継基板１２０Ａ，１２０Ｂ，１２０Ｃ（図１参照）が設けられた側を本体１１００の接続部１１２０に固定されると共に、接続部１１２０において電気的に表示制御部１３１と接続されている。
【００８５】
本体１１００は接続部１１２０を中心にして開くことができ、各表示部１００Ａ，１００Ｂ，１００Ｃ，１００Ｄをあたかも本のページのようにめくることができる。本の表紙に相当する本体１１００には、表示制御部１３１、表示情報を一時的に蓄積する例えばフラッシュメモリーなどの記憶部（図示省略）、電源回路１３２、電源として例えばリチウムイオン電池などの小型二次電池（図示省略）等が内蔵されている。
【００８６】
＜表示装置の駆動方法＞
図１３に示すように、表示装置１０００の駆動方法は、上記実施形態１における表示装置１００の駆動方法における実施例１〜実施例３の駆動方法を個々の表示部１００Ａ，１００Ｂ，１００Ｃ，１００Ｄに適用可能である。
【００８７】
また、これに加えて例えば一方の表示部１００Ａと他方の表示部１００Ｂとが重なった場合には、一方の表示部１００Ａにおける表示領域１１０Ａａの有機ＥＬ素子１１を消灯または減光する。同図において表示部１００Ａの裏面側の表示領域１１０Ａａや表示部１００Ｂの裏面側すなわち表示部１００Ａと重なり合う側の表示領域１１０Ｂａも同様に消灯または減光する。
【００８８】
また、一方の表示部１００Ｄに部分的に他方の表示部１００Ｃが重なり合った場合には、一方の表示部１００Ｄにおいて表示が遮蔽された領域１１０Ｄｂの有機ＥＬ素子１１を消灯または減光する。
【００８９】
また、表示部１００Ａ，１００Ｂ，１００Ｃ，１００Ｄ間の重なり合いの時間経過を考慮して、初期段階には節電対象の有機ＥＬ素子１１を減光し、所定の時間（数十秒程度）経過した後に消灯することが好ましい。
【００９０】
このような表示装置１０００の駆動方法によれば、複数の表示部１００Ａ，１００Ｂ，１００Ｃ，１００Ｄを備えても効率的な省電力化を図ることができる。
【００９１】
なお、表示装置１０００の構成は、これに限定されず、上記実施形態２の表示装置２００を本体１１００に複数備える構成としてもよい。そして、上記実施形態２の実施例４および実施例５の表示装置２００の駆動方法を、表示装置１０００に適用してもよい。
【００９２】
以上、本発明を具体化した実施形態１〜実施形態３について、実施例を挙げて説明した。ところで、発光素子や光源の点灯が減光または消灯された節電モードを通常の点灯状態（通常モード）に戻す方法としては、例えば、センサー１３が人体等の接触や表示の遮蔽状態が解除されたことを検知して、表示制御部１３１に通常点灯の信号を送り、表示部１３０を通常点灯させる方法、表示領域１１０ａのうち特定の部位に指で繰り返して触れる動作（マウスによるダブルクリックのような動作）、あるいは指で表示領域１１０ａをなぞって円などの特定の形状を描く動作を行い、これらの動作をセンサー１３により検知して節電モードを解除するといった方法が挙げられる。
【００９３】
上記実施形態以外にも様々な変形例が考えられる。以下、変形例を挙げて説明する。
【００９４】
（変形例１）上記実施形態１および上記実施形態２において、センサー１３（センサー５３）は、素子基板１０（素子基板５０）側において画素１５（画素５５）ごとに設けられることに限定されない。例えば、複数の画素１５（画素５５）置きにセンサー１３（センサー５３）を配置してもよい。
【００９５】
（変形例２）上記実施形態１および上記実施形態２において、センサー１３（センサー５３）は、表示パネル１１０（表示パネル１５０）内に設けられることに限定されない。図１４は変形例の表示装置の構造を示す概略断面図である。例えば、図１４に示すように、変形例の表示装置３００は、上記実施形態１の表示装置１００において、封止基板２０と樹脂フィルム４０Ａとの間にセンサーとしてのタッチパネル１３５を備えたものである。タッチパネル１３５としては、抵抗膜方式、静電容量方式などを採用することができる。これにより、少なくともタッチパネル１３５が装備された封止基板２０側から人体等が表示部１３０に接触したときに、その接触位置を検出することができる。タッチパネル１３５からの接触位置検出結果に基づいて、表示制御部１３１が接触部位の有機ＥＬ素子１１を消灯または減光する構成とすればよい。表示部１３０の厚みがタッチパネル１３５の分だけ増えてしまうものの、素子基板１０側にセンサー１３を組み込む必要がないので、表示パネル１１０の構成を簡略化できる。
【００９６】
（変形例３）上記実施形態２における受光型の表示パネル１５０の構成は、これに限定されない。例えば、一方の基板側に一対の電極を備え、当該電極間に発生させた横電界により液晶層を駆動するＦＦＳ（Fringe  Field  Switching）方式やＩＰＳ（In  Place  Switching）方式の液晶パネルとしてもよい。あるいはスイッチング素子を有するアクティブ方式の表示装置に限定されず、パッシブ方式の液晶パネルであってもよい。
【００９７】
（変形例４）上記実施形態１において、表示装置１００をＲ，Ｇ，Ｂの画素１５を有するものとして駆動制御したが、封止基板２０側のカラーフィルター２１を削除し、有機ＥＬ素子１１を例えば白色発光させれば、表示装置１００をシート状の照明装置として駆動制御し、省電力化を図ることができる。
【００９８】
（変形例５）上記実施形態１において、自発光型の表示部１３０における発光素子は、有機ＥＬ素子１１に限定されない。例えば、ＬＥＤ（Light  Emitting  Diode)、ＦＥＤ（Field  Emission  Display）やＳＥＤ（Surface-conduction  Electron-emitter  Display）に用いられている電界放出素子などの発光素子を適用することができる。
【００９９】
（変形例６）上記実施形態３において、表示部１００Ａ，１００Ｂ，１００Ｃ，１００Ｄの構成は、上記実施形態１の表示装置１００が表示面を外側にして２つ重ねられたものに限定されない。例えば、本体１１００に対して一定の方向にめくって表示面を確認できるように、複数の表示装置１００を接続部１１２０に取り付けてもよい。また、表示装置１００は、トップエミッション構造であるが、素子基板１０側にも発光を取り出せる構成とすれば、１つの表示装置１００の両面から表示を確認することもできる。
【符号の説明】
【０１００】
１３，５３…センサー、１５，５５…画素、１００，２００，３００，１０００…表示装置、９０…照明装置、９１…光源、１１０…表示パネル、１１０ａ，１５０ａ…表示領域、１１１ａ，１１１ｂ，１５１ａ，１５１ｂ…接触部位、１１２ａ，１１２ｂ，１５２ａ…表示領域を分けた領域、１３０…自発光型の表示部、１７０…受光型の表示部。
【図１】
2011007833.tif 000003
【図２】
2011007833.tif 000004
【図３】
2011007833.tif 000005
【図４】
2011007833.tif 000006
【図５】
2011007833.tif 000007
【図６】
2011007833.tif 000008
【図７】
2011007833.tif 000009
【図８】
2011007833.tif 000010
【図９】
2011007833.tif 000011
【図１０】
2011007833.tif 000012
【図１１】
2011007833.tif 000013
【図１２】
2011007833.tif 000014
【図１３】
2011007833.tif 000015
【図１４】
2011007833.tif 000016